(57)【要約】【課題】簡単な構成で、電源スイッチの操作を安定して行える画像形成装置を提供するところにある。【解決手段】電源ケーブルの接続用ソケット５を設けた外部電源取入部６と、外部電源取入部６に電気接続される電源基板７と、その電源基板７の作動を入り切り操作自在な電源スイッチ８とを設けてある画像形成装置であって、外部電源取入部６と電源基板７と電源スイッチ８とを、その順に背面側から正面側にかけて並べて、装置本体１の横側面に取り付けてある。【選択図】図１
2010054841.tif 000002
【特許請求の範囲】
【請求項１】
電源ケーブルの接続用ソケットを設けた外部電源取入部と、前記外部電源取入部に電気接続される電源基板と、その電源基板の作動を入り切り操作自在な電源スイッチとを設けてある画像形成装置であって、前記外部電源取入部と前記電源基板と前記電源スイッチとを、その順に背面側から正面側にかけて並べて、装置本体の横側面に取り付けてある画像形成装置。
【請求項２】
前記電源スイッチの取付用ホルダーを導電性樹脂で形成すると共に、その取付用ホルダーを介して前記電源基板を前記装置本体の導電部に電気伝導自在に取り付けてある請求項１記載の画像形成装置。
【請求項３】
前記電源基板を側面から覆う金属製のシールド板を設け、そのシールド板を前記電源基板と前記取付用ホルダーとを介して電気伝導自在に前記装置本体の導電部に取り付けてある請求項２記載の画像形成装置。
【請求項４】
前記装置本体の下側に機能拡張装置を組付け可能に構成し、前記取付用ホルダーに前記電源基板に電気接続する機能拡張用コネクタを取り付け、前記機能拡張装置の前記装置本体に対する組付けに伴って前記機能拡張コネクタが電気接続可能に構成してある請求項２又は３記載の画像形成装置。
【請求項５】
前記装置本体内に、給紙トレーを収容する給紙部と、その給紙部の上方に画像形成部とを配設し、前記給紙部と前記画像形成部との間に、それらを制御する制御基板を配置して前記装置本体に取り付けてある請求項１から４のいずれかに記載の画像形成装置。
【発明の詳細な説明】
【技術分野】
【０００１】
電源ケーブルの接続用ソケットを設けた外部電源取入部と、前記外部電源取入部に電気接続される電源基板と、その電源基板の作動を入り切り操作自在な電源スイッチとを設けてある画像形成装置に関する。
【背景技術】
【０００２】
従来、画像形成装置では装置本体の横側面に制御基板が取り付けられ、配線コードを極力少なくして絶縁処理を簡単にするために、前記外部電源取入部と電源基板と電源スイッチとを並べて、夫々相互に直接接続して装置本体の背面部に取り付けてあった（例えば、特許文献１参照）。
【０００３】
【特許文献１】特開２０００−１１２１９８号公報
【発明の開示】
【発明が解決しようとする課題】
【０００４】
上述した従来の画像形成装置では、電源スイッチが装置本体の正面側から遠いために、電源のＯＮ、ＯＦＦ操作が不便であるという欠点があった。そこで、配線コードを介して装置本体の正面側に電源スイッチのみを配置する構成が考えられるが、この場合は、配線コードと装置本体の導電部との間の絶縁処理が複雑になるという欠点が生じる。
これに対し、電源スイッチを遠隔操作ロッドで装置本体の正面側から操作できるようにする構成が考えられるが、この場合には、余分な機構が必要になり、機械的トラブルの発生する可能性が高かった。
【０００５】
従って、本発明の目的は、上記問題点を解消し、簡単な構成で、電源スイッチの操作を安定して行える画像形成装置を提供するところにある。
【課題を解決するための手段】
【０００６】
本発明の第１の特徴構成は、電源ケーブルの接続用ソケットを設けた外部電源取入部と、前記外部電源取入部に電気接続される電源基板と、その電源基板の作動を入り切り操作自在な電源スイッチとを設けてある画像形成装置であって、前記外部電源取入部と前記電源基板と前記電源スイッチとを、その順に背面側から正面側にかけて並べて、装置本体の横側面に取り付けてあるところにある。
【０００７】
本発明の第１の特徴構成によれば、装置本体の横側面であっても前記外部電源取入部は背面側に位置するために、装置本体を設置する場合にコンセント等の電源供給部に電源ケーブルを邪魔にならずに接続しやすく、また、電源スイッチは、装置本体の正面側に配置してあるために、電源の入り切り操作が特別な遠隔操作具なしにしやすくなり、機械的トラブルの発生を少なく出来、安定したスイッチ操作が行える。
その上、外部電源取入部と電源基板と電源スイッチとを、その順に背面側から正面側にかけて並べて、装置本体の横側面に取り付けてあるために、それらを配線コード無しに直接電気接続して絶縁処理を簡単にすることができる。
【０００８】
本発明の第２の特徴構成は、前記電源スイッチの取付用ホルダーを導電性樹脂で形成すると共に、その取付用ホルダーを介して前記電源基板を前記装置本体の導電部に電気伝導自在に取り付けてあることにある。
【０００９】
本発明の第２の特徴構成によれば、電源スイッチの取付用ホルダーに電源基板を取り付けるだけで、特別な配線無しに電源基板は導電性の取付ホルダーを介して装置本体の導電部にアース接続できる。
【００１０】
本発明の第３の特徴構成は、前記電源基板を側面から覆う金属製のシールド板を設け、そのシールド板を前記電源基板と前記取付用ホルダーとを介して電気伝導自在に前記装置本体の導電部に取り付けてあることにある。
【００１１】
本発明の第３の特徴構成によれば、金属製のシールド板は電源基板を覆い、電源基板と取付用ホルダーを介して装置本体の導電部にアース接続されるために、電源基板から発生する電磁波をシールドして、他の装置に悪影響を与えるのを防止できる。
【００１２】
本発明の第４の特徴構成は、前記装置本体の下側に機能拡張装置を組付け可能に構成し、前記取付用ホルダーに前記電源基板に電気接続する機能拡張用コネクタを取り付け、前記機能拡張装置の前記装置本体に対する組付けに伴って前記機能拡張コネクタが電気接続可能に構成してあることにある。
【００１３】
本発明の第４の特徴構成によれば、機能拡張装置を付加する場合には、装置本体の下側に機能拡張装置を組付けると同時に、機能拡張コネクタが電気接続できる。そのために、組付け作業がより簡単にでき、生産性が向上する。
【００１４】
本発明の第５の特徴構成は、前記装置本体内に、給紙トレーを収容する給紙部と、その給紙部の上方に画像形成部とを配設し、前記給紙部と前記画像形成部との間に、それらを制御する制御基板を配置して前記装置本体に取り付けてあることにある。
【００１５】
本発明の第５の特徴構成によれば、制御基板を上下に配置した給紙部と画像形成部の間に配置して装置本体に取り付けることにより、他の装置の邪魔にならずに装置全体をコンパクトに形成できるようになる。
【発明を実施するための最良の形態】
【００１６】
以下に本発明の実施の形態を図面に基づいて説明する。
【００１７】
図１に示すように、装置本体１内に下部から上部にかけて給紙部２、画像形成部３、排紙部４を配設して本発明の画像形成装置の一例であるカラープリンターが構成されている。
【００１８】
前記画像形成部３には、イエロー、マゼンタ、シアン、黒の各色の現像部３Ａが有る。
前記画像形成装置の右横側面には、図１〜図４に示すように、背面側から正面側にかけて、電源ケーブルの接続用ソケット５を備えた外部電源取入部６と、外部電源取入部６に電気接続される電源基板７と、その電源基板７の作動を入り切り操作自在な電源スイッチ８とをその順に並べて、装置本体１に取り付けてあり（図１、図２）。この配置により、装置本体１の背面側のソケット５には電源ケーブルが接続されてコンセントに接続できるようにしてあると共に、装置本体１の正面側には電源スイッチ８があるために、電源の入り切り操作が特別な遠隔操作具なしにしやすくなり、機械的トラブルの発生を少なく出来る。
【００１９】
前記電源スイッチ８は、図３及び図４に示すように、導電性樹脂から成る取付用ホルダー９で板金製の装置本体１に取り付けてあり、その取付用ホルダー９のネジ締結部９Ａに、電源基板７及び電源基板７を覆う板金製のシールド板１０を重ねて共通のネジ１１で共締めすることにより、電源基板７とシールド板１０とをネジ１１を介して装置本体１に電気伝導自在にしてアースできるようにしてある。
【００２０】
前記取付ホルダーの下面側には、図３に示すように、電源基板７に電気接続する機能拡張用コネクタ１２ａを取り付け、装置本体１の下側に機能拡張装置（例えば追加の給紙装置等）を組付け可能に構成し、機能拡張装置の装置本体１に対する組付けに伴って機能拡張コネクタが下方の機能拡張装置側のソケット５に電気接続可能に構成してある。
【００２１】
前記画像形成装置の制御基板１３は、図２に示すように、給紙部２と画像形成部３との間に配置して装置本体１に取り付けてある。
また、前記制御基板１３は、図５（ｂ）に示すように、装置本体１の奥側に配置された画像制御基板１３ａと正面側に配置されたエンジン制御基板１３ａとがコネクタ１２ｂ同士で電気接続してあり、エンジン制御基板１３ｂが電源基板７にコネクタ１２ｂで接続してある。更に、図５（ａ）に示すように、前述の制御基板１３ａ，１３ｂの上に、プロセス系ユニット制御基板１３ｃが配設されている。
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２２】
【図１】実施形態で説明する装置全体の右側面図。
【図２】要部の斜視図。
【図３】要部の斜め下方から見上げた状態の斜視図。
【図４】要部の連結状態を示す一部切欠き底面図。
【図５】（ａ）,（ｂ）は制御基板の斜視図。
【符号の説明】
【００２３】
１      装置本体
２      給紙部
３      画像形成部
５      ソケット
６      外部電源取入部
７      電源基板
８      電源スイッチ
９      取付用ホルダー
１０    シールド板
１２ａ  機能拡張用コネクタ
１３    制御基板
【図１】
2010054841.tif 000003
【図２】
2010054841.tif 000004
【図３】
2010054841.tif 000005
【図４】
2010054841.tif 000006
【図５】
2010054841.tif 000007